(57)【要約】【課題】廃棄時の環境対策を簡便にでき、しかも低コストな家具を提供する。【解決手段】両開きタイプの左右扉の一方にはラッチ機構が無く、他方には指掛け部の動きに連動して該扉を開閉可能にさせるラッチ機構が設けられており、前記一方の扉１２Ｌの自由端部ＦＲＬであって何処か一部に停止体３０が装着されており、該停止体は該一方の扉の自由端部の裏側から、両扉が閉じられた場合の他方の扉の自由端部裏側に位置するように突出部３０Ｔが突出しており、該停止体には前記一方の扉に装着する際に該扉の自由端部に係合可能な弾性変形可能な脚部３０Ｌと、該一方の扉に装着した状態で該停止体の外部から前記脚部にアクセス可能にさせる穴部３０Ｈを設けているよう構成する。【選択図】　　　　図２
2004068469.tif 000002
【特許請求の範囲】
【請求項１】
両開きタイプの左右扉の一方にはラッチ機構が無く、他方には指掛け部の動きに連動して該扉を開閉可能にさせるラッチ機構が設けられており、前記一方の扉の自由端部であって何処か一部に停止体が装着されており、該停止体は該一方の扉の自由端部の裏側から、両扉が閉じられた場合の他方の扉の自由端部裏側に位置するように突出部が突出しており、該停止体には前記一方の扉に装着する際に該扉の自由端部に係合可能な弾性変形可能な脚部と、該一方の扉に装着した状態で該停止体の外部から前記脚部にアクセス可能にさせる穴部を設けていることを特徴とする両開き扉を有する家具。
【請求項２】
前記突出部は合成樹脂で形成されている請求項１記載の両開き扉を有する家具。
【請求項３】
前記停止体は前記一方の扉の自由端部であって、その一部である上下端部の２箇所に装着されている請求項２記載の両開き扉を有する家具。
【発明の詳細な説明】
【０００１】
【発明の属する技術分野】
本発明は両開き扉を有する家具に関する。
【０００２】
【従来の技術】
左右両開き扉を有する家具において、一方の扉を閉じ、更に他方の扉を閉じた場合に、該他方の扉によって一方の扉を押さえて不用意には開かないようにさせる構造の家具がある。この場合、左右扉の自由端部の折曲構造を左右対称構造（同一）にしないで、一方の自由端部折曲部を他方の扉で押さえる形態がある。しかし、この形態では、左右扉を別々の板金形態に形成しなければならず、非効率的である。そこで、扉の自由端部の折曲構造は左右対称とし、その一方の自由端部に合成樹脂製の押出し成形部品の戸当り部材（停止体）を装着しているものがある。例えば、実開平６−５６４２４号公報や、特開平８−８６１４１号公報や、特開平５−３２１５３９号公報がある。
【０００３】
【発明が解決しようとする課題】
然しながら、上記各公報に開示の戸当り部材は、装着する作業性は考慮しているが取り外しの作業性を考慮した構造とはなっておらず、板金扉に対して装着して扉を組み立ててしまうと、それを取り外すことは容易ではなく、家具が廃棄された場合の分別等の環境対策処理に時間がかかる。また、扉自由端部の全長に亘って設けられており、材料費等によって家具コストが高くなる。
依って、本発明は、廃棄時の環境対策を簡便にでき、しかも低コストな家具の提供を目的とする。
【０００４】
【課題を解決するための手段】
上記目的に鑑みて請求項１では、両開きタイプの左右扉の一方にはラッチ機構が無く、他方には指掛け部の動きに連動して該扉を開閉可能にさせるラッチ機構が設けられており、前記一方の扉の自由端部であって何処か一部に停止体が装着されており、該停止体は該一方の扉の自由端部の裏側から、両扉が閉じられた場合の他方の扉の自由端部裏側に位置するように突出部が突出しており、該停止体には前記一方の扉に装着する際に該扉の自由端部に係合可能な弾性変形可能な脚部と、該一方の扉に装着した状態で該停止体の外部から前記脚部にアクセス可能にさせる穴部を設けていることを特徴とする両開き扉を有する家具を提供する。
【０００５】
停止体は一方の扉の自由端部の裏側から、両扉を閉じた場合の他方の扉の自由端部裏側に位置するように突出部が突出しているため、一方の扉を閉じた後、他方の扉を閉じれば、該他方の扉の自由端部によって一方の扉を閉じた位置に規制することができる。また、他方の扉には指掛け部の動きに連動して該扉を開閉可能にさせるラッチ機構が設けられているため、ラッチ機構を作動させて他方の扉を閉じれば、両扉共に不用意に開放することが防止できる。扉の開放では、他方の扉を開放した後、一方の扉を開放すればよい。更には、停止体は一方の扉の自由端部の一部に装着されているので、全長に亘って装着する場合よりも低コスト化できる。また、停止体を一方の扉の自由端部に装着した際に係合している弾性変形可能な脚部に、停止体に設けた穴部を介して、例えばナイマスドライバー等によってアクセスし、容易に係合を解除できる。従って、扉と停止体とを容易に分別可能となる。
【０００６】
また、請求項２では、前記突出部は合成樹脂で形成されている請求項１記載の両開き扉を有する家具を提供する。
突出部が合成樹脂で形成されていれば、一方又は他方の扉を閉じた際の衝撃音が緩和される。
【０００７】
また、請求項３では、前記停止体は前記一方の扉の自由端部であって、その一部である上下端部の２箇所に装着されている請求項２記載の両開き扉を有する家具を提供する。
停止体が上下端部の２箇所に装着されていると、一方の扉を閉じる際に筐体への当接が確実に停止体によって行われ、衝突音が緩和される。また、仮に他方の扉が幾分前方又は後方に傾いても、閉じた際に確実に停止体に当り、衝突音が緩和される。
【０００８】
【発明の実施の形態】
以下、本発明を添付図面に示す実施形態例に基づき、更に詳細に説明する。
図１は本発明に係る両開き扉を有する家具の一例としての保管庫の正面図であり、図２はその左扉１２Ｌを裏面から見た部分裏面図、図３は部品の分解組立図、図４は図１の矢視線Ｄ−Ｄによる拡大断面図である。保管庫は、その筐体１０の前面を左右の扉１２Ｌ，１２Ｒによって、所謂、観音開き構造によって左右方向に開閉可能に閉じることができる。右扉１２Ｒには窪んだ引手１４を有し、ここに設けられた指掛け部１６に指を掛けてラッチ機構２０を操作し、筐体１０との係合を外して右方に開放可能に構成されている。
【０００９】
右扉を開放した後、左扉１２Ｌを左方に開放させることができる。該左扉１２Ｌにはラッチ機構は無く、当然、指掛け部も必要無く、存在しない。また、この例では、引手も有しないが、設けてもよい。更には、ここでは右扉の指掛け部１６を引手の中に配設した例を示しているが、引手の外側近くに設けていて、例えば、それを親指で押し下げ操作してラッチ機構を外し、他の指を引手に引っ掛けて扉を開放させる構造でもよい。
【００１０】
左扉１２Ｌの自由端部ＦＲＬの上下端部には、ここでは合成樹脂製の停止体３０，３０’が、夫々、容易に取り外し可能に装着されている。停止体３０と停止体３０’はここでは同一形態であるので一方３０のみを説明する。停止体の後部には、平板状の突出部３０Ｔが設けられており、該突出部は左扉に装着した状態で、その自由端部の裏側から、閉じた右扉の裏面方向に向かって突出している。停止体を装着した左扉を閉じ、その後で右扉を閉じれば、該右扉の自由端部ＦＲＲの裏側部位で前記停止体の突出部３０Ｔを押さえるように、突出部３０Ｔは左扉の扉面に平行状に延伸している。この例と異なり、停止体は上下何れか一方のみでもよく、また、自由端部ＦＲＬの上下方向中央位置等に１個設けてもよい。
【００１１】
要は、自由端部ＦＲＬの上下方向全長に亘って設けるのではなく、一部に設ければよく、場所も任意である。しかし、この例のように、上下両端部に設ければ、左扉を閉じる際には該停止体の突出部の裏側が筐体１０の縁面１０’に当接し、自由端部ＦＲＬ自体が直接に当ることが防止される。ここでは突出部（を含む停止体全体）が合成樹脂製であるため、鋼製の扉の自由端部ＦＲＬが鋼製の縁面１０’に衝突して金属音を発生することが防止される。また、右扉を閉じた際にも該右扉の自由端部ＦＲＲの裏側が突出部３０Ｔの表面に当接し、金属音を発生することが防止される。以上の衝突音の緩和では、停止体の突出部が合成樹脂製であればよく、停止体の他部が金属製であってもよい。更には、請求項１に係る本発明では、突出部が金属であってもよい。
【００１２】
停止体３０の形状は図３等に現われているが、下端部の底板部３０Ａと、上端部の天井板部３０Ｂとを有しており、装着方向の前面部を除いて３つの側面壁に囲まれた箱形状を基本体とし、前記突出部３０Ｔはこの内の１つの側面壁に対して後方側に段差状に突出して設けられている。
一方、左扉１２Ｌの自由端部ＦＲＬは、扉の前面から後方に向かって（直角方向に）折り曲げられた第１折曲部１２Ｌ１と、該第１折曲部から再び折り曲げられて前面と平行な第２折曲部１２Ｌ２と、更に、該第２折曲部から再び直角に折り曲げられた第３折曲部１２Ｌ３とを有している。右扉の自由端部ＦＲＲも、閉じた状態で両扉が左右対称となるように、同様な第１折曲部１２Ｒ１、第２折曲部１２Ｒ２、第３折曲部１２Ｒ３を有している。
【００１３】
前記停止体にはその箱状基本体の中に、突出部と同方向に（平行に）延伸し、弾性変形可能な脚部３０Ｌが上下２箇所に設けられている。１箇所でもよい。該脚部の先部には係止部３０Ｌ’が設けられており、前記自由端部の第３折曲部１２Ｌ３の先端縁部に係合可能に構成されている。
一方、図３に図示するように自由端部ＦＲＬには、切欠部Ｋ１，Ｋ２が上下の２箇所に設けられており、停止体の前記底板部３０Ａの開放側前端部が下側の切欠部Ｋ１に挿入され、天井板部３０Ｂの開放側前端部が上側の切欠部Ｋ２に挿入されると共に、前記脚部３０Ｌと第３折曲部とが係合することによって停止体が装着保持される。
【００１４】
切欠部Ｋ１と底板部３０Ａとの係合によって停止体の上下方向位置を保持規制している。左扉１２Ｌの上側縁部には補強等のために折返し部ＵＰがある。停止体の装着に際しては、途中位置ではその突出部３０Ｔがこの折返し部に干渉するため、図３に示す矢印線に従った方向に移動させて装着を完了させることができる。この停止体には図３や図４に示すように、扉に装着された状態において使用者等がアクセスできる側面壁部の上下２箇所に穴部３０Ｈが設けられており、この穴部を介して、マイナスドライバー等によって、前記弾性変形可能な脚部３０Ｌにアクセス可能である。従って、第３折曲部１２Ｌ３の先端縁部から係止部３０Ｌ’を容易に外すことができる。こうして停止体３０を左扉から容易に分離可能となり、廃棄処分等における作業性が向上する。
【００１５】
以上では、左扉に停止体を設けているが、逆に、これをラッチ機構を無くした右扉に設け、左扉にラッチ機構を設ける構造としてもよい。また、停止体の形状は箱形状に限らない。また自由端部の上下端部に設ける場合に、夫々を異なる形状にしてもよい。また、停止体の脚部や穴部の数も任意である。更に、突出部３０Ｔは平板状に限らない。また、自由端部の形態は、脚部３０Ｌが係合可能であればよく、種々ある。
【００１６】
【発明の効果】
以上の説明から明らかなように本発明によれば、廃棄時の環境対策を簡便にでき、しかも低コストな家具の提供が可能となる。
【図面の簡単な説明】
【図１】図１は本発明に係る家具の正面図である。
【図２】図２は図１の左扉の裏面図である。
【図３】図３は扉と部品の分解組立図である。
【図４】図４は図１の矢視線Ｄ−Ｄによる拡大断面図である。
【符号の説明】
１２Ｌ　　　　　　　　　　左扉
１２Ｒ　　　　　　　　　　右扉
１６　　　　　　　　　　　指掛け部
２０　　　　　　　　　　　ラッチ機構
３０，３０’　　　　　　　停止体
３０Ｈ　　　　　　　　　　穴部
３０Ｌ　　　　　　　　　　脚部
３０Ｔ　　　　　　　　　　突出部
ＦＲＬ，ＦＲＲ　　　　　　自由端部
【図１】
2004068469.tif 000003
【図２】
2004068469.tif 000004
【図３】
2004068469.tif 000005
【図４】
2004068469.tif 000006